(57)【要約】【課題】本発明は、電磁的に遮蔽された室の内部に対して行われる放送を所定の状態で規制する放送制御装置と、その放送制御装置の配下で上記室の内部に画像を放送する画像放送装置とに関し、放送チャネルの割り付けに柔軟に適応して室の内部に対する放送を適切に行うことを目的とする。【解決手段】電磁的に遮蔽された室の外部に放送波が到来する放送チャネルを検知するチャネル検知手段と、前記室の内部と前記外部との間における前記放送チャネルのアイソレーションが保たれていない状態で、前記室の内部に前記放送チャネルを介して行われる放送を規制する制御手段とを備える。【選択図】図１
2012249148.tif 000002
【特許請求の範囲】
【請求項１】
電磁的に遮蔽された室の外部に放送波が到来する放送チャネルを検知するチャネル検知手段と、
前記室の内部と前記外部との間における前記放送チャネルのアイソレーションが保たれていない状態で、前記室の内部に前記放送チャネルを介して行われる放送を規制する制御手段と
を備えたことを特徴とする放送制御装置。
【請求項２】
電磁的に遮蔽された室の外部に放送波が到来する放送チャネルを検知するチャネル検知手段と、
前記室の内部が前記外部に対して解放されている状態で、前記室の内部に前記放送チャネルを介して行われる放送を規制する制御手段と
を備えたことを特徴とする放送制御装置。
【請求項３】
電磁的に遮蔽された室の外部に放送波が到来する放送チャネルを検知するチャネル検知手段と、
前記室の内部と前記外部との間における前記放送チャネルのアイソレーションが保たれていない状態で、前記室の内部に前記放送チャネル以外の特定の放送チャネルを介して行われる放送を規制する制御手段と
を備えたことを特徴とする放送制御装置。
【請求項４】
電磁的に遮蔽された室の外部に放送波が到来する放送チャネルを検知するチャネル検知手段と、
前記室の内部が前記外部に対して解放されている状態で、前記室の内部に前記放送チャネル以外の特定の放送チャネルを介して行われる放送を規制する制御手段と
を備えたことを特徴とする放送制御装置。
【請求項５】
請求項１ないし請求項４の何れか１項に記載の放送制御装置と、
前記室の内部にある有体物を示す画像を前記放送制御装置の配下で前記室の内部に放送する放送手段と
を備えたことを特徴とする画像放送装置。
【発明の詳細な説明】
【技術分野】
【０００１】
本発明は、電磁的に遮蔽された室の内部に対して行われる放送を所定の状態で規制する放送制御装置と、その放送制御装置の配下で上記室の内部に画像を放送する画像放送装置とに関する。
【背景技術】
【０００２】
近年、ディジタル通信技術が高度に進展し、隣接する周波数帯で全く異なる通信方式が適用されることによる干渉の回避が可能となっている。
【０００３】
また、携帯可能な軽量かつ小型の通信端末の普及に応じて通信や放送の活用のニーズが急速に増加し、このような通信端末の利用により多様な分野で従来無かった多くのサービスの提供が開始され、あるいは計画されつつある。
【０００４】
さらに、このような背景の下で生じる可能性が高い無線周波数の逼迫の回避や緩和の施策として、既存の放送や通信に供されていた周波数帯（混信や干渉の回避のために設けられたガードバンドを含む。）の効率的な利用を図るホワイトスペース化の利活用が図られつつある。
【０００５】
ところで、上記従来無かったサービスの一形態としては、例えば、微弱電波で局所的にワンセグ放送との互換性を担保して行われる自主放送がある。
【０００６】
さらに、上記自主放送に用いられる放送チャネルについては、既存のアナログテレビ放送の地上波ディジタル放送への移行に伴って行われるべき混信対策や共聴施設の改修が完了するまでの期間においても、伝送品質が安定に確保されることが望まれ、このような伝送品質の確保を実現する技術としては、例えば、以下に列記するような技術がある。
【０００７】
(1) 端末や基地局が現状の無線環境を識別して採用可能な通信方式や無線周波数を動的に切り替えることにより、周波数の有効利用を図るコグニティブ無線
(2) 複数の異なる通信方式に対応可能な端末が、利用可能な個々の通信システムの伝送品質等の現状をセンスすることにより最適なネットワークを選択するヘテロジニアス型ネットワーク
【０００８】
なお、本発明に関連性がある先行技術としては、以下に示す特許文献１および特許文献２があった。
(1) 「外部PHS基地局からの電磁波を十分減衰できるシールドエリアを設けると共に、前記シールドエリア内に、前記外部PHS基地局とは異なる位置情報を送出する機能をもつPHS擬似基地局および前記シールドエリア内に存在する携帯端末から送出される電磁波を検知するセンサを配置し、前記シールドエリア内にある前記携帯端末に対し、前記PHS擬似基地局から、前記外部PHS基地局と前記PHS端末との通信に使用する電磁波の周波数と同一で、かつ、異なる位置情報を含むデータを変調した電磁波を送出し、これに応えて前記携帯端末から位置登録のために電磁波が送出されるか否かを前記センサにより検出し、これによって前記携帯端末がPHS端末であるか否かを判別する」ことにより、「携帯端末に特別な機能を付加することなく、かつ、他の機器に悪影響を及ぼすことなく、PHS端末を他の携帯電話端末から区別して検出する」点に特徴があるPHS端末検出方法…特許文献１
【０００９】
(2) 「上記移動体通信端末等が通過することになるシールドルーム内に固定設置されているアンテナより送出されてくる電気信号の電界強度出力と、当該シールドルーム外に固定設置されているアンテナより送出されてくる電気信号の電界強度出力を電界強度比較回路で比較して、前者の方が高いときに報知部が上記移動体通信端末の電源が切れていない旨の報知動作をする」ことにより、「電源を切っていない移動体通信端末等を正確且つ迅速に検出できる」点に特徴がある電源投入状態検出装置…特許文献２
【先行技術文献】
【特許文献】
【００１０】
【特許文献１】特開２００２−０５８０７１号公報
【特許文献２】特開２００３−０７８４６８号公報
【発明の概要】
【発明が解決しようとする課題】
【００１１】
しかし、既述の自主放送に用いられる放送チャネルは、混信対策や共聴施設の改修が適正に行われても、例えば、臨時に設置されて適宜移設される設備によって行われる自主放送に関しては、必ずしも、最適な放送チャネルに設定されるとは限らなかった。
【００１２】
また、このような設備によって送信される送信波については、外部に対して電磁的にシールドされた狭空間に放射される場合であっても、周辺に近接する他の設備によって行われる自主放送に対して混信や妨害を与える可能性があった。
【００１３】
しかも、上記自主放送に採用されるべき放送チャネルの選定については、その自主放送を行う設備が設置される環境が多様であって必ずしも一定ではないために、容易かつ最適には実現され難かった。
【００１４】
本発明は、放送チャネルの割り付けに柔軟に適応して室の内部に対する放送を適切に行うことができる放送制御装置および画像放送装置を提供することを目的とする。
【課題を解決するための手段】
【００１５】
請求項１に記載の発明では、チャネル検知手段は、電磁的に遮蔽された室の外部に放送波が到来する放送チャネルを検知する。制御手段は、前記室の内部と前記外部との間における前記放送チャネルのアイソレーションが保たれていない状態で、前記室の内部に前記放送チャネルを介して行われる放送を規制する。
【００１６】
すなわち、電磁的に遮蔽された室の内部において行われる放送は、その室の外部に放送波が到来する放送チャネルを介して行われるが、このような室の外部とのアイソレーションが保たれている状態でなければ行われない。
【００１７】
請求項２に記載の発明では、チャネル検知手段は、電磁的に遮蔽された室の外部に放送波が到来する放送チャネルを検知する。制御手段は、前記室の内部が前記外部に対して解放されている状態で、前記室の内部に前記放送チャネルを介して行われる放送を規制する。
【００１８】
すなわち、電磁的に遮蔽された室の内部において行われる放送は、その室の外部に放送波が到来する放送チャネルを介して行われるが、このような室の内部が外部に対して閉じられた状態でなければ行われない。
【００１９】
請求項３に記載の発明では、チャネル検知手段は、電磁的に遮蔽された室の外部に放送波が到来する放送チャネルを検知する。制御手段は、前記室の内部と前記外部との間における前記放送チャネルのアイソレーションが保たれていない状態で、前記室の内部に前記放送チャネル以外の特定の放送チャネルを介して行われる放送を規制する。
【００２０】
すなわち、電磁的に遮蔽された室の内部において行われる放送は、その室の外部に放送波が到来する放送チャネルには該当しない特定の放送チャネルを介して行われるが、このような室の外部とのアイソレーションが保たれている状態でなければ行われない。
【００２１】
請求項４に記載の発明では、チャネル検知手段は、電磁的に遮蔽された室の外部に放送波が到来する放送チャネルを検知する。制御手段は、前記室の内部が前記外部に対して解放されている状態で、前記室の内部に前記放送チャネル以外の特定の放送チャネルを介して行われる放送を規制する。
【００２２】
すなわち、電磁的に遮蔽された室の内部において行われる放送は、その室の外部に放送波が到来する放送チャネルには該当しない特定の放送チャネルを介して行われるが、このような室の内部が外部に対して閉じられた状態でなければ行われない。
【００２３】
請求項５に記載の発明では、放送手段は、請求項１ないし請求項４の何れか１項に記載の放送制御装置の配下で、前記室の内部にある有体物を示す画像を前記室の内部に放送する。
【００２４】
すなわち、電磁的に遮蔽された室の内部では、その内部にある有体物を示す画像は、外部とのアイソレーションが確保された放送チャネルを介して放送される。
【発明の効果】
【００２５】
本発明によれば、室の内部では、外部との電磁的な遮蔽の下で、その室の外部で実際に適用されている放送チャネルを介して局部的に、かつ外部に対する干渉や妨害が回避されつつ良好な伝送品質による放送が実現される。
【００２６】
また、本発明によれば、室の内部では、外部に対する干渉や妨害の可能性が著しく低い特定の放送チャネルを介して局部的に放送が行われ、その放送は、室の外部との電磁的な遮蔽の下で、送信電力が微弱であっても良好な伝送品質で安定に実現される。
【００２７】
さらに、本発明によれば、電磁的に遮蔽された室の内部では、その内部にある有体物の画像は、外部との間における相互の干渉や妨害が生じることなく局部的な放送により高い品質で提供される。
【００２８】
したがって、本発明により所望の放送方式の応用や活用が図られた装置またはシステムでは、稼働すべき地域、地点および時間と、これらに割り付けられた放送チャネルとの如何にかかわらず、対外的に干渉や妨害を与えることなく、しかも、既存の放送系による干渉や妨害を被ることなく、所望の情報の良好な伝送品質による提供が実現される。
【図面の簡単な説明】
【００２９】
【図１】本発明の一実施形態を示す図である。
【図２】本実施形態の動作フローチャートである。
【図３】本実施形態の動作を説明するである。
【発明を実施するための形態】
【００３０】
以下、図面に基づいて本発明の実施形態について詳細に説明する。
図１は、本発明の一実施形態を示す図である。
図において、シールドルーム１０は地上波ディジタル放送の放送波が到来する地点に設置され、そのシールドルーム１０は外部と内部との間における人（後述する操作者）の出入りに供されるドア１０ｄを有する。また、シールドルーム１０の内部には、以下に列記する要素から構成された画像提供装置２０が配置される。
【００３１】
(1) シールドルーム１０の内部に配置されたアンテナ２１
(2) そのアンテナ２１の給電点にアンテナ端子が接続された送受信部２２
(3) シールドルーム１０の外部に配置された受信アンテナ１１の給電点に給電線１２を介して出力が接続された受信部２３
【００３２】
(4) ワンセグ放送の受信機能を有する携帯電話用の端末３０を携帯し、かつシールドルーム１０の内部に居る操作者の様子を静止画または動画として得るカメラ２４
(5) ドア１０ｄの開閉を検出するセンサ２５
(6) 上記操作者とのマンマシンインタフェースに供される操作表示部２６
(7) 送受信部２２、受信部２３、カメラ２４、センサ２５および操作表示部２６にそれぞれ接続された入出力ポートを有する制御部２７
【００３３】
図２は、本実施形態の動作フローチャートである。
図３は、本実施形態の動作を説明するである。
以下、図１〜図３を参照して本実形態の動作を説明する。
制御部２７は、以下に列記するように画像提供装置２０の各部の振る舞いを統括する。
【００３４】
(1) 所定の頻度でセンサ２５を介してドア１０ｄの状態を監視し（図３(1))、そのドア１０ｄが開いている状態、あるいは完全に閉められていない状態では、操作表示部２６を介して操作者に、その旨ならびに「ドア１０ｄを閉める」ことを促すメッセージを与える（図２ステップＳ１，図３(2))。
【００３５】
(2) ドア１０ｄ 完全にが閉っている状態では、以下の処理(2-1)〜(2-3)を適宜行う。
(2-1) シールドルーム１０の外部においてアンテナ１１に放送波（ここでは、「ワンセグ放送」であると仮定する。）が到来する好適な数（≧１）の放送チャネル（以下、「既存チャネル」という。）をキャリアセンスにより検出する（図２ステップＳ２，図３(3））。
【００３６】
(2-2) 操作者が操作表示部２６を介して行う操作（図３(4))に応じてカメラ２４を駆動して（図２ステップＳ３、図３(5))その操作者の様子を撮影することにより、動画あるいは静止画を生成する（図２ステップＳ４，図３(6））。なお、このような静止画は、例えば、プリクラ（登録商標）に該当するものであってもよい。
【００３７】
(2-3) 送受信部２２に上記既存チャネルを指定し（図２ステップＳ５、図３(7))、その送受信部２２およびアンテナ２１を介して端末３０宛に、上記動画あるいは静止画を放送波として送信する（図２ステップＳ６，図３(8））。なお、このような放送波の送信は、一定の時間に亘って反復して行われてもよい。
【００３８】
一方、端末３０では、このようにしてアンテナ２１から「既存チャネルの放送波」として受信された動画あるいは静止画を表示し、かつ内蔵されたＳＤメモリ等の記録媒体に蓄積する。
【００３９】
すなわち、上記動画あるいは静止画の送信に供される放送チャネルは、外部で自主放送等に用いられている放送チャネルと同じ放送チャネルに設定され、かつ送信は、シールドルーム１０の内部と外部との間におけるシールド（アイソレーション）が十分に図られているときに限って行われる。
【００４０】
したがって、本実施形態によれば、端末３０に備えられ、かつワンセグ放送（自主放送）の受信に供されるチューナは、放送チャネルの切り替え等が行われなくても、シールドルーム１０の内部に入る前に設定されていた放送チャネルを介して上記動画や静止画の受信、蓄積および表示に供される。
【００４１】
なお、本実施形態では、既存チャネルは、キャリアセンスに基づいて検出されなくてもよく、例えば、以下に列記する放送チャネルで代替されてもよい。
【００４２】
(1) ＧＰＳ受信機等の測位系によって求められたアンテナ１１の位置に対応して所定のデータベースに予め登録されている放送チャネル
(2) シールドルーム１０の外部においてアンテナ１１に到来した放送波に含まれるチャネル識別情報等で示される放送チャネル
【００４３】
また、本実施形態では、ドア１０ｄ が閉っている状態がセンサ２５を介して識別されている。
しかし、このような「ドア１０ｄが閉まっている状態」は、例えば、制御部２７の手動の下で稼働する受信部２３および送受信部２２の連係の下で、下記の何れの状態として識別されてもよい。
【００４４】
(1) シールドルーム１０の外部からアンテナ２１に既存チャネルの放送波が到来しない状態
(2) シールドルーム１０の外部とアンテナ２１との間におけるアイソレーションが十分に確保されている状態
【００４５】
さらに、本実施形態では、送受信部２２は、端末３０と連係することなく既述の動画や静止画を放送波として送信している。
【００４６】
しかし、本発明はこのような構成に限定されず、上記放送波が送信されるべき時点は、送受信部２２および制御部２７と端末３０（を介して操作者）とが連係することにより、以下の全てまたは一部（１つのみであってもよい。）が成立する時点として識別されてもよい。
【００４７】
(1) 端末３０または操作表示部２６を介して操作者によって与えられた指示の下で行われたカメラ２４による撮影の完了
(2) 端末３０が該当する放送波が受信されるべききっかけまたは期間
【００４８】
(3) 端末３０における動画や録画の表示や記録に関する設定が操作者によって行われる時間や環境の確保
(4) 送受信部２２が該当する放送波の再送信を行うべき機会やきっかけの確保
(5) 端末３０において上記再送信によって得られる動画や録画の取り扱いにかかわる設定の機会やきっかけの確保
【００４９】
なお、上記送受信部２２および制御部２７と端末３０との間における連係は、例えば、以下に列記される無線伝送路の全てまたは一部を介して所定の情報（電子メールであってもよい。）が相互に引き渡されることによって実現されてもよい。
【００５０】
(1) WiFi(Wireless Fidelity)
(2) WiMAX（Worldwide Interoperability for Microwave
Access）
(3) ワンセグ放送チャネル（自主放送に供されるチャネルを含む。）
(4) ワンセグ放送チャネル（自主放送に供されるチャネルを含む。）に重畳されたサブチャネル
(5) BlueTooth（登録商標）等のような無線リンク（シールドルーム１０の電磁シールドの下でそのシールドルーム１０の内部のみに形成されることが望ましい。）
(6) 赤外線通信
(7) 携帯電話、ＰＨＳ(Personal Handyphone System)の無線チャネル
【００５１】
(3) 無線ＬＡＮ（シールドルーム１０の電磁シールドの下でそのシールドルーム１０の内部のみに形成されることが望ましい。）
(4) 端末３０に備えられた赤外線ポートと、画像提供装置２０に備えられた赤外線ポート（制御部２７の配下で作動するならば、送受信部２２に組み込まれなくてもよい。）との間に形成される光伝送路
【００５２】
また、本実施形態では、アンテナ２１から送信される既存チャネルの放送波は、必ずしも微弱電波でなくてもよく、その既存チャネルに関してシールドルーム１０の内部と外部との間に確保されるアイソレーションの下で、シールドルーム１０の外部に放射されるレベルが許容される程度に微弱であるならば、大きめの値に電力が設定されてもよい。
【００５３】
さらに、本実施形態では、既述の「ドア１０ｄが閉まっていない」ことを示すメッセージは、図３に点線で示すように、送受信部２２およびアンテナ２１を介して端末３０に無線伝送されてもよい。
【００５４】
また、本実施形態では、操作者によって行われる既述の操作とその操作者に対する情報の伝達とは、何れも、操作表示部２６と端末３０との何れを介して行われてもよい。
【００５５】
さらに、本実施形態では、カメラ２４によって撮影される対象は、既述の操作者の様子でなくてもよく、例えば、シールドルーム１０内に配置され、かつ検査や試験の対象となる装置の外観や特定の部位の様子等如何なるものであってもよい。
【００５６】
また、本実施形態では、カメラ２４によって行われる撮影は、必ずしも可視光の領域における撮影でなくてもよく、例えば、例えば、赤外線その他の如何なる波長における撮影であってもよい。。
【００５７】
さらに、本実施形態では、自主放送等に供されるワンセグ放送用のチャネルが既述の既存チャネルとして採用されている。
【００５８】
しかし、このような既存チャネルは、如何なる方式が適用された放送チャネルであってもよい。
【００５９】
また、本実施形態では、既述の動画や静止画を示す放送波は、シールドルーム１０内では、そのシールドルーム１０の外部において放送に供されている既存チャネルを介して端末３０宛に送信されている。
【００６０】
しかし、本発明では、このような既存チャネルに代えて、シールドルーム１０の外部においても放送に供されていない特定の放送チャネルが適用されることにより、例えば、上記動画や静止画の伝送品質がより確実かつ安定に高く確保されると共に、シールドルーム１０の外部に対する電磁的な干渉や妨害の可能性が低く抑えられてもよい。
【００６１】
さらに、本発明は、上述した実施形態に限定されず、本発明の範囲において多様な実施形態の構成が可能であり、構成要素の全てまたは一部に如何なる改良が施されてもよい。
【００６２】
以下、本願に開示された発明の内、「特許請求の範囲」に記載しなかった発明の構成、作用および効果を「特許請求の範囲」、「課題を解決するための手段」および「発明の効果」の欄の記載に準じた様式により列記する。
【００６３】
［請求項６］  請求項１ないし請求項４の何れか１項に記載の放送制御装置において、
前記制御手段は、
前記室に配置された端末装置と、前記端末装置による前記放送の受信に必要な連係を図る
ことを特徴とする放送制御装置。
【００６４】
このような構成の放送制御装置では、請求項１ないし請求項４の何れか１項に記載の放送制御装置において、前記制御手段は、前記室に配置された端末装置と、前記端末装置による前記放送の受信に必要な連係を図る。
【００６５】
すなわち、電磁的に遮蔽された室の内部では、局部的に行われる放送は、受信可能な端末装置の状態と、その端末装置の操作者の意図との何れにも適応した形態で行われる。
【００６６】
したがって、室の内部で局部的に行われる放送は、多様な分野およびニーズに対する柔軟な適応が可能となる。
【００６７】
［請求項７］  請求項１ないし請求項４の何れか１項に記載の放送制御装置において、
前記チャネル検知手段は、
前記放送波のキャリアセンスにより前記放送チャネルを検知する
ことを特徴とする放送制御装置。
【００６８】
このような構成の放送制御装置では、請求項１ないし請求項４の何れか１項に記載の放送制御装置において、前記チャネル検知手段は、前記放送波のキャリアセンスにより前記放送チャネルを検知する。
【００６９】
すなわち、電磁的に遮蔽された室の内部で局部的に行われる放送に適用される放送チャネルは、その室の外部で実際に放送波が到来するチャネル、またはそのチャネル以外のチャネルに設定される。
【００７０】
したがって、このような放送チャネルは、放送系以外の雑音源、オーバリーチ、都市雑音等に起因する干渉や妨害を伴わないチャネルに設定される。
【００７１】
［請求項８］  請求項１ないし請求項４の何れか１項に記載の放送制御装置において、
前記チャネル検知手段は、
前記チャネル検知手段が位置する地域に予め割り付けられたチャネルとして、前記放送チャネルを検知する
ことを特徴とする放送制御装置。
【００７２】
このような構成の放送制御装置では、請求項１ないし請求項４の何れか１項に記載の放送制御装置において、前記チャネル検知手段は、前記チャネル検知手段が位置する地域に予め割り付けられたチャネルとして、前記放送チャネルを検知する。
【００７３】
すなわち、電磁的に遮蔽された室の内部で局部的に行われる放送に適用される放送チャネルは、キャリアセンスのような放送波の実測を伴うことなく、上記チャネル検知手段の位置に基づいて求められ、かつ設定される。
【００７４】
したがって、このような放送チャネルは、キャリアセンスを実現するハードウェアを備えることなく、干渉や妨害を伴わないチャネルに簡便に設定される。
【００７５】
［請求項９］  請求項１ないし請求項４の何れか１項に記載の放送制御装置において、
前記チャネル検知手段は、
前記チャネル検知手段が位置する地域と前記放送波から抽出された情報との相関に基づいて前記放送チャネルを検知する
ことを特徴とする放送制御装置。
【００７６】
このような構成の放送制御装置では、請求項１ないし請求項４の何れか１項に記載の放送制御装置において、前記チャネル検知手段は、前記チャネル検知手段が位置する地域と前記放送波から抽出された情報との相関に基づいて前記放送チャネルを検知する。
【００７７】
すなわち、電磁的に遮蔽された室の内部で局部的に行われる放送に適用される放送チャネルは、キャリアセンスのような放送波の実測を伴うことなく、上記チャネル検知手段の位置と、室の外部に到来した放送波から抽出された情報との相関に基づいて求められ、かつ設定される。
【００７８】
したがって、このような放送チャネルは、キャリアセンスを実現するハードウェアを備えることなく、干渉や妨害を伴わないチャネルに簡便に設定される。
【符号の説明】
【００７９】
１０  シールドルーム
１０ｄ  ドア
１１  受信アンテナ
１２  給電線
２０  画像提供装置
２１  アンテナ
２２  送受信部
２３  受信部
２４  カメラ
２５  センサ
２６  操作表示部
２７  制御部
【図１】
2012249148.tif 000003
【図２】
2012249148.tif 000004
【図３】
2012249148.tif 000005